【手続補正書】
【提出日】平成24年2月8日(2012.2.8)
【手続補正１】
【補正対象書類名】特許請求の範囲
【補正対象項目名】全文
【補正方法】変更
【補正の内容】
【特許請求の範囲】
【請求項１】
第１の装置と第２の装置とに接続される通信装置であって、
前記第１の装置に対して所定のタイミングで接続要求を送信する接続要求送信手段と、
前記接続要求送信手段で送信する接続要求毎に前記第１の装置から応答を受信する応答受信手段と、
前記接続要求送信手段で送信した第１の接続要求に対して前記応答受信手段が受信した応答に所定の処理の実行要求が含まれているとき、該実行要求に基づく所定の処理を前記第２の装置で実行させるか前記通信装置で実行するかを判断する判断手段と、
前記判断手段が前記実行要求に基づく所定の処理を前記第２の装置で実行させると判断したときには、該所定の処理を前記第２の装置に実行させ、前記判断手段が前記実行要求に基づく所定の処理を前記通信装置で実行すると判断したときには、該所定の処理を実行する実行制御手段と、
前記接続要求送信手段が第２の接続要求を送信する際に、該第２の接続要求と、前記実行制御手段で前記第２の装置に実行させた所定の処理の実行結果又は前記実行制御手段で実行した所定の処理の実行結果とを前記第１の装置に送信するよう前記接続要求送信手段を制御する送信制御手段と
を備えることを特徴とする通信装置。
【請求項２】
前記実行制御手段で実行した所定の処理の実行結果を生成する実行結果生成手段をさらに有し、
前記送信制御手段は、前記実行結果生成手段が生成した前記実行結果を前記第１の装置に送信するよう前記接続要求送信手段を制御することを特徴とする請求項１に記載の通信装置。
【請求項３】
前記応答受信手段が受信した応答に含まれる所定の処理の実行要求を前記第２の装置へ送信する送信手段をさらに備え、
前記実行制御手段は、前記実行要求を前記第２の装置へ送信するよう前記送信手段を制御することで該実行要求に基づく所定の処理を前記第２の装置に実行させることを特徴とする請求項１又は２に記載の通信装置。
【請求項４】
第１の装置と通信可能な通信装置と、第２の装置とがネットワークを介して接続されたネットワークシステムであって、
前記通信装置は、
前記第１の装置に対して所定のタイミングで接続要求を送信する接続要求送信手段と、
前記接続要求送信手段で送信する接続要求毎に前記第１の装置から応答を受信する応答受信手段と、
前記接続要求送信手段で送信した第１の接続要求に対して前記応答受信手段が受信した応答に所定の処理の実行要求が含まれているとき、該実行要求に基づく所定の処理を前記第２の装置で実行させるか前記通信装置で実行するかを判断する判断手段と、
前記判断手段が前記実行要求に基づく所定の処理を前記第２の装置で実行させると判断したときには、該所定の処理の実行要求を前記第２の装置に送信することで前記第２の装置に実行させ、前記判断手段が前記実行要求に基づく所定の処理を前記通信装置で実行すると判断したときには、該所定の処理を実行する実行制御手段と、
前記実行制御手段で前記所定の処理を前記第２の装置に実行させたとき、該所定の処理の実行結果を前記第２の装置から受信し、前記実行制御手段で前記所定の処理を実行したとき、該所定の処理の実行結果を生成する実行結果生成手段と、
前記接続要求送信手段が第２の接続要求を送信する際に、該第２の接続要求と、前記実行結果生成手段が前記第２の装置から受信した実行結果又は前記実行結果生成手段が生成した実行結果とを前記第１の装置へ送信するよう前記接続要求送信手段を制御する送信制御手段と
を有し、
前記第２の装置は、
前記実行制御手段により前記通信装置から送信された前記所定の処理の実行要求を受信する受信手段と、
前記受信手段で受信した前記実行要求に基づく前記所定の処理を実行する実行手段と、
前記実行手段で実行された前記所定の処理の実行結果を前記通信装置へ送信する実行結果送信手段と
を有することを特徴とするネットワークシステム。
【請求項５】
第１の装置と第２の装置とに接続される通信装置において、コンピュータを、
前記第１の装置に対して所定のタイミングで接続要求を送信する接続要求送信手段、
前記接続要求送信手段で送信する接続要求毎に前記第１の装置から応答を受信する応答受信手段、
前記接続要求送信手段で送信した第１の接続要求に対して前記応答受信手段が受信した応答に所定の処理の実行要求が含まれているとき、該実行要求に基づく所定の処理を前記第２の装置で実行させるか前記通信装置で実行するかを判断する判断手段、
前記判断手段が前記実行要求に基づく所定の処理を前記第２の装置で実行させると判断したときには、該所定の処理を前記第２の装置に実行させ、前記判断手段で前記実行要求に基づく所定の処理を前記通信装置で実行すると判断したときには、該所定の処理を実行する実行制御手段、及び
前記接続要求送信手段が第２の接続要求を送信する際に、該第２の接続要求と、前記実行制御手段で前記第２の装置に実行させた所定の処理の実行結果又は前記実行制御手段で実行した所定の処理の実行結果とを前記第１の装置に送信するよう前記接続要求送信手段を制御する送信制御手段
として機能させるためのプログラム。
【手続補正２】
【補正対象書類名】明細書
【補正対象項目名】０００９
【補正方法】変更
【補正の内容】
【０００９】
上記課題を解決するために、本発明の第１の側面は、第１の装置と第２の装置とに接続される通信装置であって、前記第１の装置に対して所定のタイミングで接続要求を送信する接続要求送信手段と、前記接続要求送信手段で送信する接続要求毎に前記第１の装置から応答を受信する応答受信手段と、前記接続要求送信手段で送信した第１の接続要求に対して前記応答受信手段が受信した応答に所定の処理の実行要求が含まれているとき、該実行要求に基づく所定の処理を前記第２の装置で実行させるか前記通信装置で実行するかを判断する判断手段と、前記判断手段が前記実行要求に基づく所定の処理を前記第２の装置で実行させると判断したときには、該所定の処理を前記第２の装置に実行させ、前記判断手段が前記実行要求に基づく所定の処理を前記通信装置で実行すると判断したときには、該所定の処理を実行する実行制御手段と、前記接続要求送信手段が第２の接続要求を送信する際に、該第２の接続要求と、前記実行制御手段で前記第２の装置に実行させた所定の処理の実行結果又は前記実行制御手段で実行した所定の処理の実行結果とを前記第１の装置に送信するよう前記接続要求送信手段を制御する送信制御手段とを備えることを特徴とする通信装置である。
【手続補正３】
【補正対象書類名】明細書
【補正対象項目名】００１０
【補正方法】変更
【補正の内容】
【００１０】
上記課題を解決するために、本発明の第２の側面は、第１の装置と通信可能な通信装置と、第２の装置とがネットワークを介して接続されたネットワークシステムであって、前記通信装置は、前記第１の装置に対して所定のタイミングで接続要求を送信する接続要求送信手段と、前記接続要求送信手段で送信する接続要求毎に前記第１の装置から応答を受信する応答受信手段と、前記接続要求送信手段で送信した第１の接続要求に対して前記応答受信手段が受信した応答に所定の処理の実行要求が含まれているとき、該実行要求に基づく所定の処理を前記第２の装置で実行させるか前記通信装置で実行するかを判断する判断手段と、前記判断手段が前記実行要求に基づく所定の処理を前記第２の装置で実行させると判断したときには、該所定の処理の実行要求を前記第２の装置に送信することで前記第２の装置に実行させ、前記判断手段が前記実行要求に基づく所定の処理を前記通信装置で実行すると判断したときには、該所定の処理を実行する実行制御手段と、前記実行制御手段で前記所定の処理を前記第２の装置に実行させたとき、該所定の処理の実行結果を前記第２の装置から受信し、前記実行制御手段で前記所定の処理を実行したとき、該所定の処理の実行結果を生成する実行結果生成手段と、前記接続要求送信手段が第２の接続要求を送信する際に、該第２の接続要求と、前記実行結果生成手段が前記第２の装置から受信した実行結果又は前記実行結果生成手段が生成した実行結果とを前記第１の装置へ送信するよう前記接続要求送信手段を制御する送信制御手段とを有し、前記第２の装置は、前記実行制御手段により前記通信装置から送信された前記所定の処理の実行要求を受信する受信手段と、前記受信手段で受信した前記実行要求に基づく前記所定の処理を実行する実行手段と、前記実行手段で実行された前記所定の処理の実行結果を前記通信装置へ送信する実行結果送信手段とを有することを特徴とするネットワークシステムである。